(57)【要約】 【課題】      壁と支柱の間に隙間が発生せずに支柱の設置が簡単でき、支柱上部のパイプに付加部品も付けられる構成で、支柱上部のパイプに複数の長さの異なる脚柱を備えた、丈夫で耐用年数も長く、設置作業時間の短縮と経済的効果も得られる支柱。【解決手段】                                支柱の上部パイプ１と長さの異なる支柱の脚柱２と、脚柱３とをパイプ１に一体に取り付け、打ち込み金具４を上部パイプ１にあてて上部からハンマー等で打撃し、複数の脚部に平均して力が加わる支柱の構成にして、脚部が変形による壁と支柱に隙間が生じる事無く、支柱のパイプ１に付加部品が簡単に取り付ける事が出来る、外壁設置作業を軽減してなる構成の支柱。【選択図】    図１
2005087142.tif 000002
【特許請求の範囲】
【請求項１】
パイプと、このパイプの外側面に、その脚柱の上端部がそれぞれパイプに固定された、複数の脚柱とを備えて、これらの脚柱の間に壁板を挟み込んで固定する、壁板固定支柱。
【請求項２】
支柱の上部に、別の部品が着脱自在となるようにパイプを設け、このパイプの外側面に、打撃の力が均等に負荷するように長さが異なる複数の脚柱を一体にして備えた、パイプと複数の脚柱とで構成してなる、壁板固定支柱。
【発明の詳細な説明】
【技術分野】
【０００１】
本発明は、壁板を設置する支柱に関する。
【背景技術】
【０００２】
この従来の壁、フェンスの支柱の概要は、鉄製又は木の支柱、樹脂,アルミ等の材料支柱を立て、壁をボルト、釘、等で支柱に固定する構成となっている。
【０００３】
近年、猪、猿、鹿、などの害獣が山間地域は勿論の事、近郊の田、畑まで出没して、農作物に被害を与えている。この害獣の田、畑への侵入被害を防ぐ防害壁の設置が必要となっているが、従来のフェンスを防害壁として設置するには、コスト高であり，フェンスの構成が農家の使用目的に合わない。
【０００４】
害獣が田、畑への侵入する被害を防ぐために、壁に波トタンや金網などを用いて防害対策をしている。この壁の支柱は、竹を割った支柱、丸木の支柱、等をそれぞれ地面に２本打ち込んで、壁材を挟み2本の支柱を縛って固定する方法と、木柱などの支柱は、釘や針金で固定して防害壁を設置している。
【０００５】
防害壁（フェンス）の高さは、現状６５０ｍｍのものが多くあるが、害獣の種類によっては、害獣が防害壁を乗り越えることもしばしばある。従って、防害壁の高さを標準の高さより、３０cm以上にする必要があるが、この場合は、継足しの支柱を標準の支柱に紐で縛って継たすか、長い支柱を別に用意をして、ロープ、針金、網、などを張って、害獣が防害壁を乗り越えない対策としている。
【０００６】
害獣の侵入を防ぐ柵の支柱の構成に、図11、のように、鉄の丸棒を１本のヘアーピン形状に曲げて壁を挟み壁の支柱にする事も考えられるが、図12に示すように、支柱を地面に打ち込む場合に、ヘアーピンの曲げた上部分を打撃するために、頭部が変形して壁を挟み固定する支柱の巾も広くなり、壁を固定する事が出来ない事が多く、風圧や害獣の激突等で、壁が支柱から外れる為に、従来の竹柱や木柱と同様に、外壁と支柱を紐や針金で支柱と壁を縛って固定しなければならないので従来の支柱の欠点が解決できない。
【０００７】
防害壁は、害獣が防害壁を乗り越えることもあり、これを防ぐために追加の支柱部品を取り付けて、防害壁の高さを追加補足することがある、前記述のヘアーピン形状の支柱は支柱の最上部が図11のｂ-1のように、逆Ｕ字形状になる為、防害壁の上部に部品（追加支柱）を取り付ける事が出来ない構成になるので、別の支柱を地面に打ち込み害獣が防害壁を乗り越える対策をする事になる。従って、このヘアーピン形状の支柱は、作業時間を要して支柱設置経費も二重に必要となる事から、従来の支柱の欠点を解決する構成にならない。
【発明の開示】
【発明が解決しようとする課題】
【０００８】
一般のフェンスの支柱は、支柱設置場所の地面に穴を掘って支柱を埋め込み又は、ブロックに支柱を挿し込み設置されていた。この設置方法は、設置に多くの経費と、労力と時間を要して、前記述の害獣の防害璧には摘さない。
【０００９】
従来の害獣の防害璧設置支柱は、竹を割った支柱、丸木の支柱、木柱、パイプ柱などで、この支柱は２本の支柱をそれぞれ地面に打込、壁材を挟みこの２本の支柱を紐や針金で縛って固定するか、また、木柱は釘を打ち付けて固定する方法などで防害壁の設置している。
【００１０】
この竹を割った支柱、丸木の支柱、木柱支柱などは、太さも不揃いで，設置場所までの運搬も不便であり、地面に支柱を打ち込む時間と労力を多く要している。しかもこの支柱は、腐蝕等により、耐用年数も短く、風雪にも弱く、防害壁が支柱から外れる事や、防害壁が支柱ごと倒れる等の状況もおきている。
【００１１】
防害壁の高さを追加して確保する場合も、従来の支柱では、別の長さを有する支柱を用意して、地面に打ち込み設置する事になる。従って、防害壁の設置や防害壁の配置の変更、取り外し等に時間と労力と経費を要している。
【課題を解決するための手段】
【００１２】
本発明は、従来の防害壁の設置の労力と時間を低減し、更に支柱の耐久性、経済性向上、等の課題を解決するための支柱の構成にする壁板固定支柱を提供する。
【００１３】
本発明の支柱は,支柱上部にパイプを設けて、防害壁を高くする事を要する場合にも、新たな別の支柱を必要とせずに、簡単に追加支柱をパイプに挿し込み取り付けられる構成にして、そのパイプの周に長さの異なる複数の脚部を一体に設ける。
【００１４】
本発明の支柱を地面に打ち込むさいには、先ず長さの異なった脚部の最長の脚部を次の長さの脚部が地面に到達するまで打ち込み、最初に打ち込んだ最長の脚部を軸にして、次の脚部を防害壁の巾に合わせて水平回転させて防害壁に押し当てて、支柱と防害壁巾とのすき間が出来ないようにして支柱を打ち込む。
【００１５】
複数の脚柱に打撃力の負荷が平均にかかるように設けた上部パイプに、支柱打撃金具をいれて支柱を打撃し、複数の脚柱を同時に地面に打ち込む構成にして、支柱の脚柱が打撃力によって変形する事を回避する。
【発明の効果】
【００１６】
本発明の支柱は、パイプと複数の脚柱をパイプ外側面に一体に備えた構成であるので、上部のパイプに支柱打撃金具をあて、上部よりハンマー等で支柱打撃金具を打撃すると、打撃力の負荷が、複数の長さの異なった脚柱に平均して加わるので、脚柱を打ち込む時に発生する、脚柱の変形が回避されと同時に、複数の脚柱を異なる長さにしたので、打ち込み時に複数の脚柱の一方を壁に押し当てて、壁とのすき間を確認して複数の脚柱を同時に打ち込むので壁と支柱とのすき間の発生も回避できる。本発明の構成から、防害壁と支柱を紐で縛る作業も不要となる事と、従来の設置作業の欠点であった２本の支柱をそれぞれ地面に打ち込み、防害壁を挟んで２本の支柱を紐で縛る労力も、本発明の支柱は、パイプと複数の脚柱を一体に備えた構成であるので解消でき、設置時間が短縮される。
【００１７】
本発明は、支柱の上部に追加部品の取り付け可能なパイプを設けた構成なので、脚柱の高さを増す事や、他の追加部品を装着する事の必要性が発生しても、余分な部品を必要とせずに、支柱のパイプに追加部品が簡単に取り付けられるので経済的にも安価で済む効果がある。
【００１８】
支柱の形状が同一でコンパクトな構成なので、従来よりも支柱の運搬や設置の労力も低減される。
【発明を実施するための最良の形態】
【００１９】
本発明に係わる壁板固定支柱は、壁板の形状によって支柱の強度を確保するために,支柱を構成する、材料、材質、寸法等は変更されるが、本発明の図面を参考にして,以下詳細を説明する。
【実施例１】
【００２０】
図1は本発明の壁板固定支柱設置状況の一例を示す斜視図、図２は、支柱上面図，図３は、図２の支柱正面図、図３は支柱打撃説明図、図５は、支柱設置手順説明の上面図、図６は、図５の支柱設置手順説明の正面図、図７は、支柱打ち込み説明の上面図、図8は、支柱打ち込み説明の断面図、図9は、追加部品装着説明の正面図、図10は、追加部品装着説明の斜視図、図11は、関連類似考案欠点説明の正面図、図12は、関連類似考案欠点説明の状態図、これらの図に示すように、本発明に係わる壁板固定支柱の部品は、パイプ１  脚柱２  脚柱３  支柱打撃金具４  とで構成される。
【実施例２】
【００２１】
図1、図２、図３、図4、図９を参考にして、実施例２を以下説明する。
本発明の壁板固定支柱は、図１の防害壁５の対応種類を、鉄製の波トタン、丸鉄棒で縦横に組んだフェンス、鉄平板、木平板、金網、プラスチック、等としている。
図２、図３に示す、1のパイプは、図4の４の支柱打撃金具と図９の７の追加部品が装着できるようにしたパイプで、本発明の壁板固定支柱のパイプは、直径27ｍｍの長さ50ｍｍから100ｍｍとし、このパイプ1の外側面に図２、図3、に示すように、脚柱２,脚柱３の長さの異なる丸棒を、パイプ1を中心にして対称かつ、パイプ1の長手方向で相互を平行に位置させて、パイプに溶接固定する、パイプ1と２本の脚柱で構成されている。
【実施例３】
【００２２】
図３、図4、図12を参考にして、実施例３を以下説明する。
本発明の壁板固定支柱は、支柱上部のパイプ１と、脚柱２、脚柱３を一体にした構成の支柱で、支柱設置は図３のパイプ1に、図4に示す支柱打撃金具4をいれて、支柱打撃金具4の上部からハンマー等で打撃すると、複数の脚柱に平均して打撃力が加わり、脚柱２、脚柱３の２本の脚柱は、図12のａ-2、ｂ-2、に示すような変形をしないので、脚柱２、脚柱３の間隔巾が広くなる事が回避される。従って、支柱と壁のすき間を生じる事なく支柱を地面に打ち込む事ができるので、従来のように、壁が支柱より外れる事のない防害壁の設置ができる。
【実施例４】
【００２３】
図4、図6、図7、図8、を参考にして、実施例４を以下説明する。
本発明の支柱を地面に打ち込む作業手順を説明すると、図4の支柱打撃金具4を１のパイプに入れて、図6、に示す、脚柱２を図8の地面６−アから６−イに、到達するまで打ち込み、図7、に示すようにを軸にして、脚柱３を支柱脚と防害壁面すき間がないように水平に回転させ防害壁面に押し当てて、支柱と壁に隙間の無い事を確認し、続けて支柱打撃金具4を打撃し、防害壁の高さ６−ウの様に支柱を打ち込む。従って、支柱と壁との間に隙間のない防害壁の設置ができる。
【実施例５】
【００２４】
図２、図3、を参考にして、実施例５を以下説明する。
本発明の壁板固定支柱は、防害壁と脚柱の間に隙間もなく、図２、図3、に示すように、パイプ1、脚柱２,脚柱３,が上部で、一体となる構成なので、従来のように、支柱と防害壁とに隙間が出来るので、防害壁が外れることある。これを防ぐ為に２本の支柱を紐や針金等で縛り防害壁を固定する作業を要していたがこの手間も解消されるので、防害壁設置の時間が短縮される。
【実施例６】
【００２５】
図９、図10、を参考にして、実施例６を以下説明する。
本発明の壁板固定支柱は、１,のパイプに７の追加部品を簡単に装着できる構成なので、防害壁の高さを追加する場合にも、図９、図10、に示す、１のパイプに７を挿し込み、８のロープ、等を取り付けることにより、要求される防害壁に対応する事が出来るので、高さ追加作業が安価で時間も短縮できる。
【図面の簡単な説明】
【００２６】
【図１】本発明に係わる、壁板固定支柱設置状況の一例を示す斜視図
【図２】本発明に係わる、支柱上面図
【図３】本発明に係わる、図２の支柱正面図
【図４】本発明に係わる、支柱打撃の説明図
【図５】本発明に係わる、支柱設置手順説明の上面図
【図６】本発明に係わる、図５の支柱設置手順説明の正面図
【図７】本発明に係わる、支柱打ち込み説明の上面図
【図８】本発明に係わる、支柱打ち込み説明の断面図
【図９】本発明に係わる、追加部品装着説明の正面図
【図１０】本発明に係わる、追加部品装着説明の斜視図
【図１１】本発明に係わる、関連類似考案の欠点説明の正面図
【図１２】本発明に係わる、関連類似考案の欠点説明の状態図
【符号の説明】
【００２７】
１  パイプ
２  支柱の脚柱Ａ
３  支柱の脚柱Ｂ
４  支柱打撃金具
５  防害壁
６  地面
７  支柱追加部品
【００２８】
８  ロープ
【図１】
2005087142.tif 000003
【図２】
2005087142.tif 000004
【図３】
2005087142.tif 000005
【図４】
2005087142.tif 000006
【図５】
2005087142.tif 000007
【図６】
2005087142.tif 000008
【図７】
2005087142.tif 000009
【図８】
2005087142.tif 000010
【図９】
2005087142.tif 000011
【図１０】
2005087142.tif 000012
【図１１】
2005087142.tif 000013
【図１２】
2005087142.tif 000014